(57)【要約】【課題】両面印刷や面付け印刷等の編集が加えられて用紙に印刷された原稿の画像を、不慣れな者でも容易に所望の体裁に編集し直して用紙に印刷させることができる画像形成装置を提供すること。【解決手段】クライアント端末１４から制御ユニット１０に入力されたデータ原稿の画像に関する印刷ジョブに含まれる、その画像の印刷設定（紙節約設定、標準文書設定）の内容を示すデータが、外部記憶装置９３に記憶される。外部記憶装置９３に記憶された印刷設定のデータは、その印刷設定を含む印刷ジョブの実行によってデータ原稿の画像が印刷された記録紙を、ＡＤＦユニットの原稿セットトレーや原稿載置ガラス台に紙原稿として載せて、他の記録紙に画像をコピー印刷する際の、紙原稿上における画像のレイアウト状態を示すデータとして利用できる。【選択図】図３
2010068243.tif 000002
【特許請求の範囲】
【請求項１】
スキャナにセットした紙原稿から読み取った画像や外部から入力されたデータ原稿の画像を用紙に印刷する印刷ジョブを実行すると共に、前記データ原稿の画像を用紙に印刷する際の用紙上における画像のレイアウト設定を前記印刷ジョブが含んでいる場合に、該レイアウト設定の内容に応じて前記データ原稿の画像を編集して用紙に印刷する画像形成装置において、
前記データ原稿の前記印刷ジョブに含まれる前記レイアウト設定の内容を示すデータを、原稿設定のデータとして記憶する記憶手段と、
前記記憶手段に記憶された前記原稿設定のデータから、前記スキャナにセットした前記紙原稿における画像のレイアウト状態に対応する特定の原稿設定のデータを選択する選択手段と、
前記選択手段により選択された前記特定の原稿設定のデータが示す前記紙原稿における画像の前記レイアウト状態に基づいて、前記スキャナにセットした前記紙原稿の画像の編集内容を決定する決定手段と、
前記選択手段により前記特定の原稿設定のデータが選択された場合に、前記スキャナにセットした前記紙原稿の画像を、前記決定手段により決定した前記編集内容で編集した編集画像を出力する編集画像出力手段と、
を備えていることを特徴とする画像形成装置。
【請求項２】
前記スキャナにセットした前記紙原稿の画像を用紙に印刷する際の該用紙上における画像の前記レイアウト設定の内容を指定する指定手段をさらに備えており、前記決定手段はさらに、前記指定手段により指定された前記レイアウト設定の内容に基づいて、前記スキャナにセットした前記紙原稿の画像の編集内容を決定し、前記編集画像出力手段は、前記指定手段により前記レイアウト設定の内容が指定され、かつ、前記選択手段により前記特定の原稿設定のデータが選択された場合に、前記スキャナにセットした前記紙原稿の画像を、前記決定手段により決定した前記編集内容で編集した前記編集画像を用紙に印刷することを特徴とする請求項１記載の画像形成装置。
【請求項３】
前記レイアウト設定を含む前記データ原稿の前記印刷ジョブは、該レイアウト設定の内容を示すデータを前記原稿設定のデータとして前記記憶手段に記憶させる必要があるか否かを指定する記憶要否設定をさらに含んでおり、前記データ原稿の前記印刷ジョブが、前記レイアウト設定の内容を示すデータを前記原稿設定のデータとして前記記憶手段に記憶させることが必要であると指定する前記記憶要否設定を含んでいる場合に、前記記憶手段は、前記データ原稿の前記印刷ジョブに含まれる前記レイアウト設定の内容を示すデータを前記記憶手段に記憶させることを特徴とする請求項１又は２記載の画像形成装置。
【発明の詳細な説明】
【技術分野】
【０００１】
本発明は、スキャナにセットした紙原稿から読み取った画像や外部から入力されたデータ原稿の画像を用紙に印刷するジョブを実行する画像形成装置に関する。
【背景技術】
【０００２】
プリンタやプリンタ機能を有する複合機等の画像形成装置にて印刷物の印刷出力を行う場合は、用紙の節約を考えて、あるいは、印刷後に綴じや製本等の加工を行うために、両面印刷したり、複数頁を１枚に集約する面付け印刷を行うことがある（例えば、特許文献１，２）。
【０００３】
このような両面印刷や面付け印刷した印刷物を複写して正式文書を作成する場合、正式文書の両面印刷や面付け印刷が社内規定で禁止されていれば、１枚の用紙に１頁ずつの片面印刷となるような設定で、印刷物の複写作業を行う必要がある。
【０００４】
また、両面印刷した印刷物の画像を片面スキャン機能しかないファクシミリ機で遠隔地に送信する場合には、印刷物の両面の画像を漏れなく相手方に送信するために、印刷物の両面の画像を別々の用紙に片面印刷で複写し直さなければならない。
【０００５】
さらに、面付け印刷の原稿をファクシミリで送信する場合、送信側又は受信側のファクシミリ機の解像度が低い場合には、面付けにより縮小された画像を元の大きさに拡大して、１枚の用紙に１つずつ画像を複写し直す必要が生じる。
【特許文献１】特開２００２−１０３７５８号公報
【特許文献２】特開２００６−３０２００１号公報
【発明の開示】
【発明が解決しようとする課題】
【０００６】
上述したような事情に応じて両面印刷や面付け印刷した印刷物を複写する場合、所望の体裁の複写原稿を得るためには、印刷物の両面印刷や面付け印刷に関する具体的な内容を正確に把握し、かつ、その内容に応じて、適切な編集内容（画像分割数、面付け印刷における頁配列、用紙選択、用紙向き、倍率選択等）を設定しなければならない。
【０００７】
このような編集内容の設定は、慣れた者でないと手間がかかり、その上、設定内容に一つでも誤りがあると所望の体裁の複写原稿を得ることができない。
【０００８】
本発明は前記事情に鑑みなされたものであり、本発明の目的は、両面印刷や面付け印刷等の編集が加えられて用紙に印刷された原稿の画像を、不慣れな者でも容易に所望の体裁に編集し直すことができる画像形成装置を提供することにある。
【課題を解決するための手段】
【０００９】
上記目的を達成するために、請求項１に記載した本発明の画像形成装置は、スキャナにセットした紙原稿から読み取った画像や外部から入力されたデータ原稿の画像を用紙に印刷する印刷ジョブを実行すると共に、前記データ原稿の画像を用紙に印刷する際の用紙上における画像のレイアウト設定を前記印刷ジョブが含んでいる場合に、該レイアウト設定の内容に応じて前記データ原稿の画像を編集して用紙に印刷する画像形成装置において、前記データ原稿の前記印刷ジョブに含まれる前記レイアウト設定の内容を示すデータを、原稿設定のデータとして記憶する記憶手段と、前記記憶手段に記憶された前記原稿設定のデータから、前記スキャナにセットした前記紙原稿における画像のレイアウト状態に対応する特定の原稿設定のデータを選択する選択手段と、前記選択手段により選択された前記特定の原稿設定のデータが示す前記紙原稿における画像の前記レイアウト状態に基づいて、前記スキャナにセットした前記紙原稿の画像の編集内容を決定する決定手段と、前記選択手段により前記特定の原稿設定のデータが選択された場合に、前記スキャナにセットした前記紙原稿の画像を、前記決定手段により決定した前記編集内容で編集した編集画像を出力する編集画像出力手段とを備えていることを特徴とする。
【００１０】
請求項１に記載した本発明の画像形成装置によれば、外部から入力されたデータ原稿の印刷ジョブに含まれるレイアウト設定の内容に応じて、そのデータ原稿の画像が編集されて印刷実行手段により用紙に印刷されると、そのレイアウト設定によって指定された、画像の用紙上における印刷面や集約又は分割などのレイアウトの指定内容を示すデータが、原稿設定のデータとして記憶手段に記憶される。
【００１１】
そして、記憶手段に記憶された用紙における画像のレイアウト設定のデータは、そのレイアウト設定によってデータ原稿の画像が印刷された用紙を紙原稿としてスキャナにセットしコピー印刷を行う際には、紙原稿上における画像のレイアウト状態を示すデータでもあることになる。
【００１２】
このため、紙原稿としてスキャナにセットした用紙にデータ原稿の画像を印刷した際に記憶手段に記憶されたレイアウト設定のデータを、特定の原稿設定のデータとして選択手段により選択することで、スキャナにセットした紙原稿における画像の印刷面や集約又は分割等のレイアウト状態をユーザが自ら正確に把握して指定しなくても、用紙への印刷のためやペーパレスファクシミリ送信のための、紙原稿の画像をユーザの所望の体裁に編集し直した体裁の原稿データを、容易に得ることができる。
【００１３】
また、請求項２に記載した本発明の画像形成装置は、請求項１に記載した本発明の画像形成装置において、前記スキャナにセットした前記紙原稿の画像を用紙に印刷する際の該用紙上における画像の前記レイアウト設定の内容を指定する指定手段をさらに備えており、前記決定手段がさらに、前記指定手段により指定された前記レイアウト設定の内容に基づいて、前記スキャナにセットした前記紙原稿の画像の編集内容を決定し、前記編集画像出力手段が、前記指定手段により前記レイアウト設定の内容が指定され、かつ、前記選択手段により前記特定の原稿設定のデータが選択された場合に、前記スキャナにセットした前記紙原稿の画像を、前記決定手段により決定した前記編集内容で編集した前記編集画像を用紙に印刷することを特徴とする。
【００１４】
請求項２に記載した本発明の画像形成装置によれば、請求項１に記載した本発明の画像形成装置において、スキャナにセットした紙原稿の画像を用紙に印刷する際の用紙上における画像のレイアウト設定の内容を指定手段により指定すると、紙原稿の画像のレイアウト状態と印刷後の用紙上における画像のレイアウト設定とが定まることになる。
【００１５】
したがって、決定手段が決定する紙原稿の画像の編集内容が、紙原稿の画像のレイアウト状態と印刷後の用紙上における画像のレイアウト設定とのそれぞれの内容によって、一義的に定まることになる。
【００１６】
よって、ユーザが所望する印刷後の用紙上における画像のレイアウト設定を指定手段によりユーザが指定するだけで、ユーザの所望する体裁に編集し直したレイアウトで、紙原稿の画像を用紙上に容易に印刷させることができる。
【００１７】
さらに、請求項３に記載した本発明の画像形成装置は、請求項１又は２に記載した本発明の画像形成装置において、前記レイアウト設定を含む前記データ原稿の前記印刷ジョブが、該レイアウト設定の内容を示すデータを前記原稿設定のデータとして前記記憶手段に記憶させる必要があるか否かを指定する記憶要否設定をさらに含んでおり、前記データ原稿の前記印刷ジョブが、前記レイアウト設定の内容を示すデータを前記原稿設定のデータとして前記記憶手段に記憶させることが必要であると指定する前記記憶要否設定を含んでいる場合に、前記記憶手段が、前記データ原稿の前記印刷ジョブに含まれる前記レイアウト設定の内容を示すデータを前記記憶手段に記憶させることを特徴とする。
【００１８】
請求項３に記載した本発明の画像形成装置によれば、請求項１又は２に記載した本発明の画像形成装置において、データ原稿の印刷ジョブに含まれるレイアウト設定の内容を示すデータを原稿設定のデータとして記憶手段に記憶させることが不要であると指定する記憶要否設定を、その印刷ジョブが含んでいる場合には、その印刷ジョブに含まれるレイアウト設定の内容を示すデータは記憶手段に記憶されない。
【００１９】
そのため、印刷面や集約又は分割等のレイアウト設定を指定してデータ原稿の画像を用紙上に印刷する場合であっても、同様の内容のレイアウト設定の内容を示す原稿設定のデータが既に記憶手段に記憶されている等の理由で、その印刷ジョブに含まれるレイアウト設定の内容を示すデータを記憶手段に記憶させる必要がない場合は、その旨を指定する記憶要否設定を印刷ジョブに含ませておくことにより、記憶手段の記憶領域が無駄に消費されてしまうのを防止できるようにすることができる。
【発明の効果】
【００２０】
本発明によれば、スキャナにセットした紙原稿における画像の印刷面や集約又は分割等のレイアウト設定をユーザが自ら正確に把握して指定しなくても、用紙への印刷のためやペーパレスファクシミリ送信のための、紙原稿の画像をユーザの所望の体裁に編集し直した体裁の原稿データを、容易に得ることができる。これにより、両面印刷や面付け印刷等の編集が加えられて用紙に印刷された原稿の画像を、不慣れな者でも容易に所望の体裁に編集し直すことができる。
【発明を実施するための最良の形態】
【００２１】
以下、本発明の実施形態について図面を参照しながら説明する。
【００２２】
図１は、本発明による画像形成装置の一実施形態に係るインクジェット記録装置の概略構成を示す説明図である。
【００２３】
図１に示すように、本実施形態のインクジェット記録装置１は、紙原稿Ｍ上の画像を読み取って画像信号を出力するスキャナ部１０１（請求項中のスキャナに相当）と、スキャナ部１０１から出力された画像信号に基づいて記録紙Ｓ（片面又は両面、請求項中の用紙に相当）に画像を印刷（記録）するプリンタ部１０２とを備えている。
【００２４】
スキャナ部１０１は、紙原稿Ｍ上の画像を光電的に読み取り、原稿画像を構成する各画素のデジタル信号を出力するものである。このスキャナ部１０１は、原稿読取部１０１ａと自動原稿供給装置（以下ＡＤＦまたはＡＤＦユニットとする）１０１ｂとを有している。
【００２５】
原稿読取部１０１ａでは、ＡＤＦユニット１０１ｂの原稿セットトレーにセットされた１又は複数枚の紙原稿Ｍや、原稿載置ガラス台（図示せず）に載せた紙原稿Ｍからの、画像の光学的な読み取りを行うことができる。スキャナ部１０１において紙原稿Ｍから読み取った画像は、プリンタ部１０２の後述するインクジェットヘッドユニット１０４によって、記録紙Ｓに印刷することができる。
【００２６】
また、本実施形態のインクジェット記録装置１は、後述する制御ユニット１０（図３参照）を内蔵している。この制御ユニット１０は、後述するクライアント端末１４（図３参照）からのデータによる原稿（以下、「データ原稿」と称する。）の画像の印刷ジョブを受け取る。プリンタ部１０２は、制御ユニット１０が受け取った印刷ジョブに基づいて、データ原稿の画像を記録紙Ｓ（片面又は両面）に印刷（記録）する動作も行う。
【００２７】
制御ユニット１０がクライアント端末１４から受け取る印刷ジョブは、ポストスクリプトデータと印刷環境データとを含んでいる。制御ユニット１０は、受け取った印刷ジョブのポストスクリプトデータによりデータ原稿の画像のラスタデータを生成し、プリンタ部１０２に設けた後述の制御基板１０３に出力する。
【００２８】
さらに、本実施形態のインクジェット記録装置１は、図２に示すように、給紙部１０５からプリンタ部１０２を介して排紙部１０９に記録紙Ｓを搬送するためのベルト搬送部１０６、両面用ベルト搬送部１０７、両面用スタックトレー１０８、及び、搬送路１１２と、各種の入力設定及び情報表示を行うディスプレイ１１０とを備えている。
【００２９】
図２に示すように、プリンタ部１０２は、制御基板１０３とインクジェットヘッドユニット１０４とを備えている。このプリンタ部１０２では、コントローラとしてインクジェット記録装置１に内蔵した制御ユニット１０（図３参照）からデータ原稿の画像のラスタデータが入力されると、画像の印刷動作が行われる。また、プリンタ部１０２では、スキャナ部１０１において紙原稿Ｍから読み取った画像のラスタデータが入力された場合にも、画像の印刷動作が行われる。
【００３０】
スキャナ部１０１において紙原稿Ｍから読み取った画像のラスタデータは、図３に示すように、制御ユニット１０からプリンタ部１０２に入力される。また、データ原稿の画像のラスタデータは、例えば、制御ユニット１０に接続された外部インターフェイス部１１を介してクライアント端末１４からの印刷ジョブを制御ユニット１０が受け取ると、制御ユニット１０からプリンタ部１０２に入力される。
【００３１】
クライアント端末１４は、ＰＣ（パーソナルコンピュータ）等によって構成されるものであり、外部インターフェイス部１５を介して制御ユニット１０の外部インターフェイス部１１に接続されている。そして、クライアント端末１４は、ＲＯＭ１７に格納された制御プログラムに基づいて各種の処理を実行するＣＰＵ１６と、ＣＰＵ１６のワーキングエリアとして機能するＲＡＭ１８と、キーボードやマウス等から構成される入力部１９と、液晶ディスプレイ等から構成される出力部２０とを備えている。
【００３２】
ＣＰＵ１６には、上述した外部インターフェイス部１５の他に、外部記憶装置２１が接続されている。外部記憶装置２１には、データ原稿の画像のデータを生成するためのアプリケーションプログラムの格納領域や、インクジェット記録装置１のプリンタドライバプログラムの格納領域等のデータベース領域が確保されている。
【００３３】
ＣＰＵ１６は、アプリケーションプログラムの起動中にアプリケーションプログラム上で生成した画像の印刷要求が入力部１９から入力されると、プリンタドライバプログラムを起動して、印刷対象の画像をデータ原稿とする印刷ジョブを生成する。そして、生成した印刷ジョブを外部インターフェイス部１５から制御ユニット１０の外部インターフェイス部１１に出力する。制御ユニット１０に出力する印刷ジョブは、ポストスクリプトデータと印刷環境データとを含んでいる。
【００３４】
ポストスクリプトデータは、記録紙Ｓに印刷するデータ原稿の画像を構成する写真、図形や文字（記号を含む、以下同じ）のデータと、その属性のデータと、ページ内でのレイアウトのデータとを含んでいる。ポストスクリプトデータ中において、図形及び文字は、ベジェ曲線を利用したベクターデータ形式で表現される。属性データは、写真の解像度を示すモード（高精細モード、標準モード）のデータや、文字の印刷に用いるフォント、文字の大きさ、文字飾り等の設定内容を示すデータを含む。
【００３５】
印刷環境データは、原稿画像の印刷環境に関する設定内容のデータを含む。この印刷環境データには、例えば、原稿画像の原稿サイズ、印刷サイズ（印刷倍率）、ページ数、印刷に使用する記録紙Ｓの種類、印刷する際の解像度を示すモード（高品質モード、通常品質モード）、及び、記録紙Ｓにおけるデータ原稿の画像のレイアウト設定の各内容を示すデータが含まれる。レイアウト設定においては、データ原稿の画像を印刷する記録紙Ｓの印刷面（両面印刷又は片面印刷）や、画像の集約又は分割（面付け印刷）の有無及びその内容等が指定される。
【００３６】
図１３は、プリンタドライバプログラムの起動中にクライアント端末１４の出力部２０に表示されるデータ原稿の印刷設定のプロパティ画面の一例を示す説明図である。このプロパティ画面には、ＣＰＵ１６が制御ユニット１０に出力するデータ原稿の画像の印刷ジョブにデータが含まれている印刷設定の設定状態が表示される。表示される印刷設定の設定状態には、ポストスクリプトデータにおける属性データの設定状態や印刷環境データの設定状態が含まれる。
【００３７】
まず、図１３に示すプロパティ画面の上側の部分は、紙節約設定の領域である。ここでは、データ原稿の画像を紙節約形式で記録紙Ｓに印刷する際の、画像を印刷する記録紙Ｓの印刷面（片面又は両面）や面付け数、面付け数に応じた画像のページ順や変倍率を、紙節約設定の内容として設定する。本実施形態では、紙節約設定における面付け数を「４面」、ページ順を「左→右」、変倍率を「７１％」、印刷面を「片面」とそれぞれ設定した場合について説明する。
【００３８】
また、図１３のプロパティ画面の上側の部分では、「簡単プリント設定」のオンオフの設定（請求項中の記憶要否設定に相当）も行う。「簡単プリント設定」をオンにすると、データ原稿の画像を記録紙Ｓに印刷させるための印刷ジョブをインクジェット記録装置１の制御ユニット１０に出力した際に、その印刷ジョブに含まれる上記の紙節約設定（印刷面、面付け数、画像のページ順、変倍率）や、後述する標準文書設定（印刷面、面付け数）の各内容を示すデータが、制御ユニット１０側で保存される。その詳細は後述する。
【００３９】
図１３に示すプロパティ画面の下側の部分は、標準文書設定の領域である。ここでは、データ原稿の画像を標準文書形式で記録紙Ｓに印刷する際の面付け数や印刷面を、標準文書設定の内容として設定する。本実施形態では、標準文書設定における面付け数を「１面」、印刷面を「片面」とそれぞれ設定した場合について説明する。
【００４０】
上述した図１３のプロパティ画面で設定した紙節約設定や標準文書設定、及び、「簡単プリント設定」のオンオフの各内容を示すデータは、データ原稿の画像に関する印刷ジョブの一部として、クライアント端末１４からインクジェット記録装置１に出力される。
【００４１】
図３のクライアント端末１４では、出力部２０に表示される不図示の印刷実行画面においてデータ原稿の画像の印刷を実行するボタンを操作すると、上述した図１３のプロパティ画面で設定した紙節約設定や標準文書設定を含むデータ原稿の画像に関する印刷ジョブが生成されて、インクジェット記録装置１に出力される。この印刷ジョブには、上述した不図示の印刷実行画面において選択指定されたデータ原稿の画像の印刷形式（紙節約形式、又は、標準文書形式）の内容を示すデータも含まれる。
【００４２】
以上の設定内容を印刷設定のデータとして含むデータ原稿の画像の印刷ジョブが、外部インターフェイス部１１を介してクライアント端末１４から入力される図３の制御ユニット１０は、入力された印刷ジョブによるデータ原稿の画像をプリンタ部１０２において印刷する。
【００４３】
すなわち、プリンタ部１０２は、図２に示すように、制御ユニット１０に入力された印刷ジョブのポストスクリプトデータにしたがって制御基板１０３で生成したデータ原稿の画像のデジタル画像信号を用いて、給紙部１０５からベルト搬送部１０６により矢印ｂ方向に搬送された記録紙Ｓに対して、インクジェットヘッドユニット１０４によってデータ原稿の画像を印刷する。
【００４４】
このとき、印刷ジョブに含まれる印刷設定のデータが、データ原稿の画像の印刷形式を紙節約形式とする内容である場合は、印刷ジョブ中の紙節約設定の内容にしたがってデータ原稿の画像が記録紙Ｓに印刷される。また、印刷ジョブに含まれる印刷形式のデータが、データ原稿の画像の印刷形式を標準文書形式とする内容である場合は、印刷ジョブ中の標準文書設定の内容にしたがってデータ原稿の画像が記録紙Ｓに印刷される。
【００４５】
また、プリンタ部１０２では、スキャナ部１０１において紙原稿Ｍから画像が読み取られた場合に、その読み取った画像のラスタデータにしたがって、紙原稿Ｍの画像の記録紙Ｓに対するコピー印刷が行われる。
【００４６】
なお、データ原稿や紙原稿Ｍの画像を記録紙Ｓに片面印刷する場合は、記録紙Ｓがベルト搬送部１０６により排紙部１０９に搬送されて排紙される。一方、データ原稿や紙原稿Ｍの画像を記録紙Ｓに両面印刷する場合は、ベルト搬送部１０６と搬送路１１２と両面用ベルト搬送部１０７との連係によって、片面（例えば、おもて面）への印刷済みの記録紙Ｓが反転状態で矢印ｂ方向から矢印ｃ方向に連続して搬送され、両面用スタックトレー１０８に一旦排紙される。そして、再びベルト搬送部１０６によりインクジェットヘッドユニット１０４に記録紙Ｓが搬送されて、残る片面（例えば、うら面）にも画像が印刷される。両面印刷済みの記録紙Ｓは、片面印刷の場合と同様に、ベルト搬送部１０６により排紙部１０９に搬送されて排紙される。
【００４７】
制御基板１０３においては、制御ユニット１０から入力されたデータ原稿や紙原稿Ｍの画像の１枚分のラスタデータがデジタル画像信号の形で記憶され、そのデジタル画像信号に、ＲＧＢ→ＣＭＹＫへの変換等の所定の画像処理が施される。処理済デジタル画像信号は、インクジェットヘッドユニット１０４に対して出力される。
【００４８】
上記のような処理が、先に説明した、給紙部１０５からインクジェットヘッドユニット１０４への記録紙Ｓの搬送に同期して行われる。これにより、各成分毎の処理済デジタル画像信号に基づいて、インクジェットヘッドユニット１０４の各色（ＣＭＹＫ）の記録ヘッドから、記録紙Ｓの搬送速度に同期させた所定のタイミングで各色のインクが吐出されて、記録紙Ｓに転写される。このようにして、データ原稿や紙原稿Ｍの画像が記録紙Ｓに印刷される。
【００４９】
ディスプレイ１１０は、スキャナ部１０１と共にプリンタ部１０２の上部に配置されている。ディスプレイ１１０の画面にはタッチセンサ（図示せず）が貼着されている。このタッチセンサにより、ディスプレイ１１０に表示される各ボタンの押圧操作を検出することができる。
【００５０】
上述したプリンタ部１０２に印刷動作を行わせるインクジェット記録装置１の制御ユニット１０は、図３に示すように、ＣＰＵ９０を備える。このＣＰＵ９０は、ＲＯＭ９１に格納されているプログラム及び設定情報に基づいて、ディスプレイ１１０から入力設定される内容に応じたスキャナ部１０１やプリンタ部１０２の動作を制御する。
【００５１】
なお、制御ユニット１０にはＲＡＭ９２が設けられている。このＲＡＭ９２には、プリンタ部１０２に行わせる印刷動作における印刷枚数や各種の設定内容が随時記憶される。例えば、クライアント端末１４から印刷ジョブが入力された場合には、入力された印刷ジョブ中の印刷設定のデータがＲＡＭ９２に記憶される。また、ディスプレイ１１０の後述する基本入力画面（図１０参照）からコピー印刷の開始が入力された場合には、その基本入力画面において指定入力された（又はデフォルトの）印刷設定の内容を示すデータがＲＡＭ９２に記憶される。
【００５２】
また、ＲＡＭ９２にはフレームメモリ領域が設けられている。このフレームメモリ領域には、クライアント端末１４から制御ユニット１０に入力された印刷ジョブのポストスクリプトデータからＣＰＵ９０が生成する、原稿画像のラスタデータが、プリンタ部１０２に出力されるまでの間、一時的に記憶される。
【００５３】
さらに、ＣＰＵ９０には外部記憶装置９３が接続されている。この外部記憶装置９３には、クライアント端末１４から入力された印刷ジョブ中に含まれる、データ原稿の画像に関する印刷設定（紙節約設定、標準文書設定）の内容を示すデータが記憶される。記憶された印刷設定のデータは、記録紙Ｓにコピー印刷する画像の紙原稿Ｍ上におけるレイアウト状態の選択候補として利用される。また、紙原稿Ｍの画像を記録紙Ｓにコピー印刷する際の記録紙Ｓ上におけるレイアウト設定の選択候補としても利用される。
【００５４】
なお、印刷設定の内容を示すデータを外部記憶装置９３に記憶する対象の印刷ジョブは、図１３に示すクライアント端末１４のプロパティ画面において「簡単プリント設定」をオンに設定したデータ原稿の画像に関する印刷ジョブに限られる。
【００５５】
図１０は、インクジェット記録装置１のディスプレイ１１０において表示される基本入力画面を示す説明図である。この基本入力画面には、「メイン」、「レイアウト」、「画像処理」、「登録設定／呼び出し」の各画面が存在する。上述した外部記憶装置９３に紙原稿Ｍにおける画像のレイアウト状態が記憶されている場合には、基本入力画面の「登録設定／呼び出し」のタブをタッチ操作して「登録設定／呼び出し」画面をディスプレイ１１０に表示させると、「簡単プリント」のボタンが表示される。
【００５６】
この「簡単プリント」のボタンをタッチ操作すると、図１１に示すように、外部記憶装置９３に記憶されている紙原稿Ｍのレイアウト設定のリストが、「登録設定／呼び出し」画面にオーバーラップしてディスプレイ１１０に表示される。このリストには、紙原稿Ｍのレイアウト状態の選択候補としてデータを記憶した印刷ジョブの印刷設定の内容が、印刷ジョブ名別に列挙されている。列挙された各印刷設定は、紙節約設定と標準文書設定との各内容を含んでいる。
【００５７】
紙節約設定は、図１３に示すクライアント端末１４のプロパティ画面において、データ原稿の画像を紙節約形式で記録紙Ｓに印刷する際の印刷設定として設定した内容、つまり、面付け数、ページ順、変倍率、印刷面の各設定内容を含んでいる。また、標準文書設定は、クライアント端末１４のプロパティ画面において、データ原稿の画像を標準文書形式で記録紙Ｓに印刷する際の印刷設定として設定した内容、つまり、面付け数や印刷面の各設定内容を含んでいる。
【００５８】
図１１のリストからは、画面上のスクロールボタンとカーソルキーのタッチ操作によって印刷ジョブ名を指定することで、紙原稿Ｍのレイアウト状態を示すデータとして利用するいずれか１つの印刷設定を選択することができる。１つの印刷設定を選択して画面上の確認ボタンをタッチ操作すると、図１１のリストのオーバーラップ表示が終了し、図１２に示すように、「登録設定／呼び出し」画面に「紙節約設定」ボタンと「標準文書設定」ボタンが表示される。
【００５９】
「紙節約設定」ボタンをタッチ操作すると、図１１のリストにおいて指定した印刷ジョブ名の印刷設定のうち、紙節約設定として記憶されている印刷設定の内容（印刷面、面付け数、画像のページ順や変倍率）が、これから記録紙Ｓにコピー印刷する画面の紙原稿Ｍ上におけるレイアウト状態（印刷面、面付け数、画像のページ順や変倍率）として利用される。「標準文書設定」ボタンをタッチ操作すると、図１１のリストにおいて指定した印刷ジョブ名の印刷設定のうち、標準文書設定として記憶されている標準文書形式による印刷設定の内容（印刷面、面付け数）が、コピー印刷する画面の紙原稿Ｍにおけるレイアウト状態（印刷面、面付け数）として利用される。
【００６０】
また、「紙節約設定」ボタンと「標準文書設定」ボタンのどちらがタッチ操作された場合にも、図１１のリストにおいて指定した印刷ジョブ名の印刷設定のうち、標準文書設定として記憶されている標準文書形式による印刷設定の内容（印刷面、面付け数）は、紙原稿Ｍから記録紙Ｓにコピー印刷する画像の記録紙Ｓにおけるレイアウト設定（印刷面、面付け数）としても利用される。
【００６１】
紙原稿Ｍ上における画像のレイアウト状態や記録紙Ｓにコピー印刷する画像のレイアウト設定として利用される、外部記憶装置９３に記憶された印刷設定のデータは、紙原稿Ｍのコピー印刷が終了するまでの間、制御ユニット１０のＲＡＭ９２に記憶される。
【００６２】
本実施形態のインクジェット記録装置１における以上のような動作は、制御ユニット１０のＣＰＵ９０がＲＯＭ９１に格納された制御プログラムを実行することで実現される。この制御プログラムを実行することでＣＰＵ９０が行う処理の手順を、図４乃至図９のフローチャートを参照して説明する。
【００６３】
まず、インクジェット記録装置１の電源が投入された後、ＣＰＵ９０は、インクジェット記録装置１の電源が切断されるまでの間、印刷ジョブ割込要求確認処理、レイアウト設定割込要求確認処理、及び、コピー割込要求確認処理を、それぞれに個別に設定された適当な周期毎に、繰り返し実行する。
【００６４】
このうち、印刷ジョブ割込要求確認処理では、図４に示すように、印刷ジョブが入力されたか否かを確認し（ステップＳ１ａ）、入力されていない場合は（ステップＳ１ａでＮＯ）、ＣＰＵ９０は、印刷ジョブ割込要求確認処理を終了する。一方、印刷ジョブが入力された場合は（ステップＳ１ａでＹＥＳ）、ＣＰＵ９０は、図７を参照して後述する印刷ジョブ実行処理を行った後（ステップＳ１ｂ）、印刷ジョブ割込要求確認処理を終了する。
【００６５】
また、レイアウト設定割込要求確認処理では、図５に示すように、図１０に示すディスプレイ１１０の「登録設定／呼び出し」画面中の「簡単プリント」のボタンがタッチ操作されたか否かを確認し（ステップＳ３ａ）、タッチ操作されていない場合は（ステップＳ３ａでＮＯ）、ＣＰＵ９０は、レイアウト設定割込要求確認処理を終了する。一方、「簡単プリント」のボタンがタッチ操作された場合は（ステップＳ３ａでＹＥＳ）、ＣＰＵ９０は、図８を参照して後述するレイアウト設定処理を行った後（ステップＳ３ｂ）、レイアウト設定割込要求確認処理を終了する。
【００６６】
さらに、コピー割込要求確認処理では、図６に示すように、ディスプレイ１１０の基本入力画面中の不図示のコピーボタンがタッチ操作されたか否かを確認し（ステップＳ５ａ）、タッチ操作されていない場合は（ステップＳ５ａでＮＯ）、ＣＰＵ９０は、コピー割込要求確認処理を終了する。一方、コピーボタンがタッチ操作された場合は（ステップＳ５ａでＹＥＳ）、ＣＰＵ９０は、図９を参照して後述するコピー処理を行った後（ステップＳ５ｂ）、コピー割込要求確認処理を終了する。
【００６７】
そして、図４のステップＳ１ｂにおける印刷ジョブ実行処理で、ＣＰＵ９０は、図７に示すように、ＲＡＭ９２に記憶されたデータ原稿の画像のレイアウト設定にしたがって、データ原稿の画像の編集内容を決定する（ステップＳ１１）。
【００６８】
例えば、データ原稿の画像のレイアウト設定が紙節約設定（面付け数「４面」、ページ順「左→右」、変倍率「７１％」、印刷面「片面」）である場合は、連続する４枚のデータ原稿の画像を１枚の記録紙Ｓの片面に縮小集約して印刷するための設定が、紙原稿Ｍの画像の編集内容として決定される。
【００６９】
次に、ＣＰＵ９０は、記録紙Ｓに対するデータ原稿の画像の印刷を実行する（ステップＳ１３）。この印刷では、クライアント端末１４から入力された印刷ジョブによるデータ原稿の画像を、ステップＳ１１で決定した編集内容にしたがって編集し、記録紙Ｓに対して印刷する。その後、ＣＰＵ９０は、ステップＳ１５に処理を移行する。
【００７０】
ステップＳ１５では、ＣＰＵ９０は、クライアント端末１４から入力された印刷ジョブ中の、「簡単プリント設定」のオンオフの内容を示すデータが、「簡単プリント設定」のオンを示すデータであるか否かを確認する。「簡単プリント設定」がオンでない場合は（ステップＳ１５でＮＯ）、ＣＰＵ９０は、印刷ジョブ実行処理を終了する。
【００７１】
一方、「簡単プリント設定」がオンである場合は（ステップＳ１５でＹＥＳ）、クライアント端末１４から入力された印刷ジョブ中に含まれる、データ原稿の画像の印刷設定（紙節約設定、標準文書設定）のデータを、紙原稿Ｍ上における画像のレイアウト状態や記録紙Ｓにコピー印刷する画像のレイアウト設定の選択候補として外部記憶装置９３に記憶する（ステップＳ１７）。その後、ＣＰＵ９０は、印刷ジョブ実行処理を終了する。
【００７２】
次に、図５のステップＳ３ｂにおけるレイアウト設定処理で、ＣＰＵ９０は、図８に示すように、ディスプレイ１１０の「登録設定／呼び出し」画面において「簡単プリント」のボタン（図１０参照）がタッチ操作されたか否かを確認する（ステップＳ３１）。タッチ操作されていない場合は（ステップＳ３１でＮＯ）、ＣＰＵ９０は、レイアウト設定処理を終了する。
【００７３】
一方、「簡単プリント」のボタンがタッチ操作された場合は（ステップＳ３１でＹＥＳ）、ＣＰＵ９０は、図１１のリストの画面上において、紙原稿Ｍ上における画像のレイアウト状態として利用する印刷設定（の印刷ジョブ名）が選択されたか否かを確認する（ステップＳ３３）。選択されていない場合は（ステップＳ３３でＮＯ）、ＣＰＵ９０は、選択されるまでステップＳ３３をリピートする。選択された場合は（ステップＳ３３でＹＥＳ）、ＣＰＵ９０は、ディスプレイ１１０の「登録設定／呼び出し」画面において「紙節約設定」ボタン（図１２参照）がタッチ操作されたか否かを確認する（ステップＳ３５）。
【００７４】
「紙節約設定」ボタンがタッチ操作された場合は（ステップＳ３５でＹＥＳ）、ＣＰＵ９０は、続くステップＳ３７において、ステップＳ３３で選択された印刷ジョブ名の印刷設定（請求項中の特定の原稿設定のデータに相当）のデータのうち、紙節約設定として記憶されている印刷設定の内容（印刷面、面付け数、画像のページ順や変倍率）を示すデータを、これから記録紙Ｓにコピー印刷する画像の紙原稿Ｍ上におけるレイアウト状態（印刷面、面付け数、画像のページ順や変倍率）のデータとして、ＲＡＭ９２に記憶させる。
【００７５】
また、ＣＰＵ９０は、ステップＳ３７において、ステップＳ３３で選択された印刷ジョブ名の印刷設定のデータのうち、標準文書設定として記憶されている印刷設定の内容（印刷面、面付け数）を示すデータを、紙原稿Ｍからコピー印刷する画像の記録紙Ｓにおけるレイアウト設定（印刷面、面付け数）のデータとして、ＲＡＭ９２に記憶させる。その後、ＣＰＵ９０は、レイアウト設定処理を終了する。
【００７６】
「紙節約設定」ボタンがタッチ操作されていない場合は（ステップＳ３５でＮＯ）、ＣＰＵ９０は、ディスプレイ１１０の「登録設定／呼び出し」画面において「標準文書設定」ボタン（図１２参照）がタッチ操作されたか否かを確認する（ステップＳ３９）。
【００７７】
「標準文書設定」ボタンがタッチ操作された場合は（ステップＳ３９でＹＥＳ）、ＣＰＵ９０は、ステップＳ４１において、ステップＳ３３で選択された印刷ジョブ名の印刷設定のデータのうち、標準文書設定として記憶されている印刷設定の内容（印刷面、面付け数）を示すデータを、これから記録紙Ｓにコピー印刷する画像の紙原稿Ｍ上におけるレイアウト状態（印刷面、面付け数）、及び、紙原稿Ｍからコピー印刷する画像の記録紙Ｓにおけるレイアウト設定（印刷面、面付け数）のデータとして、ＲＡＭ９２に記憶させる。その後、ＣＰＵ９０は、レイアウト設定処理を終了する。
【００７８】
「標準文書設定」ボタンがタッチ操作されていない場合は（ステップＳ３９でＮＯ）、ＣＰＵ９０は、ステップＳ３５に処理を移行する。
【００７９】
続いて、図６のステップＳ５ｂにおけるコピー処理で、ＣＰＵ９０は、図９に示すように、ＲＡＭ９２に記憶された、紙原稿Ｍ上における画像のレイアウト状態や記録紙Ｓにコピー印刷する画像のレイアウト設定にしたがって、紙原稿Ｍの画像の編集内容を決定する（ステップＳ５１）。
【００８０】
例えば、紙原稿Ｍ上における画像のレイアウト状態が、紙節約設定（面付け数「４面」、ページ順「左→右」、変倍率「７１％」、印刷面「片面」）に対応するレイアウト状態であり、記録紙Ｓにおける画像のレイアウト設定が、標準文書設定（面付け数「１面」、印刷面「片面」）である場合は、１枚の紙原稿Ｍの片面に縮小集約印刷されている４つの画像を、４枚の記録紙Ｓの片面に拡大分割して印刷するための設定が、紙原稿Ｍの画像の編集内容として決定される。
【００８１】
次に、ＣＰＵ９０は、記録紙Ｓに対する紙原稿Ｍの画像のコピー印刷を実行する（ステップＳ５３）。このコピー印刷では、ＡＤＦユニット１０１ｂの原稿セットトレーにセットされた紙原稿Ｍ、又は、不図示の原稿載置ガラス台に載せた紙原稿Ｍから原稿読取部１０１ａによって光学的に読み取った画像を、ステップＳ５１で決定した編集内容にしたがって編集し、記録紙Ｓに対してコピー印刷する。なお、ＡＤＦユニット１０１ｂに複数枚の紙原稿Ｍがセットされている場合は、ＣＰＵ９０は、ＡＤＦユニット１０１ｂの紙原稿ＭがなくなるまでステップＳ５３のコピー印刷を繰り返し実行する。その後、ＣＰＵ９０は、コピー処理を終了する。
【００８２】
以上の説明からも明らかなように、本実施形態のインクジェット記録装置１においては、図５のフローチャートにおけるステップＳ３ｂ（図８のフローチャートにおけるステップＳ３１乃至ステップＳ３７）の処理を実行するＣＰＵ９０と、図１０乃至図１２の画面を表示するディスプレイ１１０とによって、請求項中の選択手段が構成されている。
【００８３】
また、本実施形態のインクジェット記録装置１においては、図９のフローチャートにおけるステップＳ５１が、請求項中の決定手段に相当する処理となっており、図９中のステップＳ５３が、請求項中の印刷実行手段に相当する処理となっている。
【００８４】
さらに、本実施形態のインクジェット記録装置１においては、図６のフローチャートにおけるステップＳ１７の処理を実行するＣＰＵ９０と、図８中のステップＳ３５及びステップＳ３７の処理を実行するＣＰＵ９０と、制御ユニット１０の外部記憶装置９３とによって、請求項中の記憶手段が構成されている。また、本実施形態のインクジェット記録装置１においては、図１０乃至図１２の画面を表示するディスプレイ１１０とによって、請求項中の指定手段が構成されている。
【００８５】
上述した手順による処理をＣＰＵ９０が実行する本実施形態のインクジェット記録装置１によれば、クライアント端末１４から制御ユニット１０に入力されたデータ原稿の画像に関する印刷ジョブに含まれる、その画像の印刷設定（紙節約設定、標準文書設定）の内容を示すデータが、外部記憶装置９３に記憶される。
【００８６】
したがって、外部記憶装置９３に記憶された印刷設定のデータは、その印刷設定を含む印刷ジョブの実行によってデータ原稿の画像が印刷された記録紙Ｓを、ＡＤＦユニット１０１ｂの原稿セットトレーや不図示の原稿載置ガラス台に紙原稿Ｍとして載せて、他の記録紙Ｓに画像をコピー印刷する際の、紙原稿Ｍ上における画像のレイアウト状態を示すデータとして利用できることになる。
【００８７】
このため、紙原稿ＭとしてＡＤＦユニット１０１ｂの原稿セットトレーや不図示の原稿載置ガラス台に載せた記録紙Ｓにデータ原稿の画像を印刷した際に、外部記憶装置９３に記憶された印刷設定のデータを、紙原稿Ｍ上における画像のレイアウト状態を示すデータとして選択することで、紙原稿Ｍにおける画像の印刷面や集約又は分割等のレイアウト状態をユーザが自ら正確に把握して指定しなくても、紙原稿Ｍの画像をユーザの所望の体裁に編集し直して記録紙Ｓに容易に印刷させることができる。
【００８８】
ちなみに、例えば別々のユーザが、同じデータ原稿の画像を同じ印刷設定（紙節約設定、標準文書設定）で、別々のインクジェット記録装置１により印刷する場合、それぞれのインクジェット記録装置１の外部記憶装置９３に、それぞれのクライアント端末１４からそれぞれの制御ユニット１０に入力された印刷ジョブ中の印刷設定の内容を示すデータが、同じ印刷ジョブ名で記憶されるように構成することもできる。
【００８９】
そのように構成すれば、あるユーザが、普段使用しているインクジェット記録装置１とは異なる別のインクジェット記録装置１を用いて、紙原稿Ｍの画像を記録紙Ｓにコピー印刷する場合にも、普段使用しているインクジェット記録装置１と同じ操作感覚でコピー印刷することができる。見方を変えると、複数のインクジェット記録装置１において印刷設定を実質的に共有して利用することができることになる。
【００９０】
なお、本実施形態では、紙原稿Ｍ上の画像を拡大分割して記録紙Ｓに片面印刷する場合について説明した。しかし、紙原稿Ｍ上の画像を拡大分割して記録紙Ｓに両面印刷する場合にも本発明は適用可能である。
【００９１】
そして、紙原稿Ｍ上の画像を拡大分割して記録紙Ｓに両面印刷する場合には、これから記録紙Ｓにコピー印刷する画像の紙原稿Ｍ上におけるレイアウト状態として、紙節約設定については印刷面、面付け数、画像のページ順、及び、変倍率の４つに加えて、また、標準文書設定に両面印刷する場合には、印刷面及び面付け数の２つに加えて、それぞれ綴じ「左右開き」を、外部記憶装置９３に記憶しておく内容とすればよい。
【００９２】
さらに、本実施形態では、外部記憶装置９３に記憶された印刷設定（標準文書設定）のデータを、紙原稿Ｍの画像を記録紙Ｓにコピー印刷する際の記録紙Ｓ上におけるレイアウト設定の選択候補として利用する構成を、例に取って説明した。
【００９３】
そのような構成は省略することもできるが、本実施形態のようにこの構成を設ければ、紙原稿Ｍの画像をどのように編集して記録紙Ｓにコピー印刷するかを決定する際に、記録紙Ｓにおける画像のレイアウト設定をユーザが入力する必要がなくなる。そのため、所望の体裁で紙原稿Ｍの画像を記録紙Ｓに容易にコピー印刷することができる。
【００９４】
また、本実施形態では、図１３に示すクライアント端末１４のプロパティ画面において「簡単プリント設定」をオンに設定したデータ原稿の画像に関する印刷ジョブが、制御ユニット１０に入力された場合に限って、その印刷ジョブに含まれる印刷設定の内容を示すデータを外部記憶装置９３に記憶する構成とした。
【００９５】
そのような構成は、記憶させる印刷設定のデータで占有される外部記憶装置９３の記憶領域を少なくする上で有効である。しかし、そのような構成を省略して、制御ユニット１０に入力された全ての印刷ジョブについて、その印刷ジョブに含まれる印刷設定の内容を示すデータを外部記憶装置９３に記憶する構成としてもよい。
【００９６】
さらに、本実施形態では、ＡＤＦユニット１０１ｂの原稿セットトレーや不図示の原稿載置ガラス台に載せた紙原稿Ｍを新たな記録紙Ｓにコピー印刷する場合について説明した。しかし、ＡＤＦユニット１０１ｂの原稿セットトレーや不図示の原稿載置ガラス台に載せた紙原稿Ｍの画像をスキャナ部１０１で読み取って、拡大分割してファクシミリ送信する場合等にも、本発明は適用可能である。
【００９７】
また、上述した実施形態やその変形例では、インクジェットヘッドユニット１０４によるインクジェット方式で原稿画像の印刷を行う画像形成装置（インクジェット記録装置１）を例に取って説明した。しかし、本発明は、データ原稿や紙原稿Ｍの画像の印刷を、電子写真方式等のインクジェット方式以外の方式によって印刷する画像形成装置についても、適用可能である。
【図面の簡単な説明】
【００９８】
【図１】本発明による画像形成装置の一実施形態に係るインクジェット記録装置の概略構成を示す説明図である。
【図２】図１のインクジェット記録装置のうちプリンタ部の概略構成を示す説明図である。
【図３】図１のインクジェット記録装置の制御系の構成を示すブロック図である。
【図４】図３のインクジェット記録装置に内蔵した制御ユニットのＣＰＵがＲＯＭに格納されたプログラムにしたがって実行する処理の手順を示すフローチャートである。
【図５】図３のインクジェット記録装置に内蔵した制御ユニットのＣＰＵがＲＯＭに格納されたプログラムにしたがって実行する処理の手順を示すフローチャートである。
【図６】図３のインクジェット記録装置に内蔵した制御ユニットのＣＰＵがＲＯＭに格納されたプログラムにしたがって実行する処理の手順を示すフローチャートである。
【図７】図３のインクジェット記録装置に内蔵した制御ユニットのＣＰＵがＲＯＭに格納されたプログラムにしたがって実行する処理の手順を示すフローチャートである。
【図８】図３のインクジェット記録装置に内蔵した制御ユニットのＣＰＵがＲＯＭに格納されたプログラムにしたがって実行する処理の手順を示すフローチャートである。
【図９】図３のインクジェット記録装置に内蔵した制御ユニットのＣＰＵがＲＯＭに格納されたプログラムにしたがって実行する処理の手順を示すフローチャートである。
【図１０】図１のインクジェット記録装置のディスプレイにおいて表示される基本入力画面を示す説明図である。
【図１１】図１のインクジェット記録装置のディスプレイにおいて表示されるレイアウト設定のリストを示す説明図である。
【図１２】図１のインクジェット記録装置のディスプレイにおいて表示される基本入力画面を示す説明図である。
【図１３】図３のクライアント端末の出力部において表示されるデータ原稿の画像のプロパティ画面を示す説明図である。
【符号の説明】
【００９９】
１  インクジェット記録装置（画像形成装置）
１０  制御ユニット
１１  外部インターフェイス部
１４  クライアント端末
１５  外部インターフェイス部
１６  ＣＰＵ
１７  ＲＯＭ
１８  ＲＡＭ
１９  入力部
２０  出力部
２１  外部記憶装置
９０  ＣＰＵ（選択手段、決定手段、印刷実行手段、記憶手段、指定手段）
９１  ＲＯＭ
９２  ＲＡＭ
９３  外部記憶装置（記憶手段）
１０１  スキャナ部
１０１ａ  原稿読取部
１０１ｂ  自動原稿供給装置（ＡＤＦユニット）
１０２  プリンタ部
１０３  制御基板
１０４  インクジェットヘッドユニット
１０５  給紙部
１０６  ベルト搬送部
１０７  両面用ベルト搬送部
１０８  両面用スタックトレー
１０９  排紙部
１１０  ディスプレイ（選択手段、指定手段）
１１２  搬送路
Ｍ  紙原稿
Ｓ  記録紙
【図１】
2010068243.tif 000003
【図２】
2010068243.tif 000004
【図３】
2010068243.tif 000005
【図４】
2010068243.tif 000006
【図５】
2010068243.tif 000007
【図６】
2010068243.tif 000008
【図７】
2010068243.tif 000009
【図８】
2010068243.tif 000010
【図９】
2010068243.tif 000011
【図１０】
2010068243.tif 000012
【図１１】
2010068243.tif 000013
【図１２】
2010068243.tif 000014
【図１３】
2010068243.tif 000015